(57)【要約】【課題】  動画コンテンツ編集用の装置を必要とせずに、複数のカメラで撮影された動画から一まとまりの動画コンテンツを作成する。【解決手段】  通信端末装置１は、別のカメラ付き携帯電話機からストリーム送信される動画データをアンテナ１１及び無線通信部１２で受信・復調し、さらに復号化部５１で復号化する。通信端末装置１は、カメラ１３により動画を撮影する。表示選択部１５において、復号化された動画データと撮影された動画データのそれぞれの画像が、表示部１４に表示される。記憶選択部１７において、復号化された動画データと撮影された動画データとから選択された動画が、符号化部５２において符号化された後メモリ１６に格納される。【選択図】図１３
2007201862.tif 000002
【特許請求の範囲】
【請求項１】
動画を撮影するカメラを備えた通信端末装置であって、
該通信端末装置の外部から送信される動画を受信する受信手段と、
表示手段と、
動画のデータを記憶する記憶手段と、
前記カメラにより撮影された動画と、前記受信手段により受信された動画とのうち、いずれの動画を前記記憶手段に記憶するかを選択する選択手段と、
前記選択手段による選択に基づいて、前記カメラにより撮影された動画、又は前記受信手段によって受信された動画を前記記憶手段に記憶する制御を行う制御部とを
備えたことを特徴とする通信端末装置。
【請求項２】
動画を撮影するカメラを備えた通信端末装置であって、
該通信端末装置の外部から送信される動画を受信する受信手段と、
表示手段と、
前記カメラにより撮影された動画又は前記受信手段により受信された動画から、前記表示手段に表示される動画を選択する表示選択手段と、
動画のデータを記憶する記憶手段と、
前記カメラにより撮影された動画又は前記受信手段により受信された動画から、前記記憶手段に記憶される動画のデータを選択する記憶選択手段と、
前記表示選択手段又は前記記憶選択手段による選択を指示する操作がされる操作手段とを
備えたことを特徴とする通信端末装置。
【請求項３】
前記表示選択手段はさらに前記カメラにより撮影された動画と前記受信手段により受信された動画とを共に選択し、前記表示手段に同時に表示させることができることを特徴とする請求項２に記載の通信端末装置。
【請求項４】
前記表示選択手段はさらに前記カメラにより撮影された動画と前記受信手段により受信された動画とを共に選択し、前記記憶選択手段が選択した動画と選択しない動画とを異なる態様で同時に表示させることができることを特徴とする請求項２に記載の通信端末装置。
【請求項５】
前記表示選択手段は、前記記憶選択手段が選択した動画を選択しない動画よりも大きなサイズで表示させることができることを特徴とする請求項４に記載の通信端末装置。
【請求項６】
前記表示選択手段は、前記記憶選択手段が選択した動画と選択しない動画の枠を区別して表示させることができることを特徴とする請求項４に記載の通信端末装置。
【発明の詳細な説明】
【技術分野】
【０００１】
本発明は通信端末装置に係り、特にカメラを備えた通信端末装置に関する。
【背景技術】
【０００２】
通信回線の広帯域化により画像情報の送受信が一般化してきたのに伴い、カメラ付き携帯電話機に代表されるカメラを備えた通信端末装置が広く用いられている。このような通信端末装置が小型・軽量化されたことにより、動画又は静止画の撮影が日常的かつ簡便に行われるようになった。
【０００３】
これらの通信端末装置は、撮影された動画又は静止画の情報を例えば電子メールの添付ファイルとして送信することができる。一方、このような通信端末装置を複数使用して撮像及び相互間の通信機能を生かすことにより、複数のアングルから撮影された画像を組み合わせてコンテンツ表現の幅を広げることを可能にする従来技術も知られている（例えば、特許文献１又は特許文献２参照。）。
【０００４】
上記の特許文献１に開示された従来技術においては、それぞれ通信手段を備えた複数のデジタルカメラのグループの中から代表カメラを選び、当該グループに属する各デジタルカメラの撮影した画像を代表カメラに送信する。代表カメラは各カメラの画像を時系列で表示すると共に各時点の画像を選択できるようにして、選択された画像の時系列として一まとまりのコンテンツを作成する。
【０００５】
上記の特許文献２に開示された従来技術においては、端末装置が撮影装置に無線を介して撮影を指示し、撮影された静止画又は動画のデータを得る。例えばテーマパークの複数箇所に配置した各撮影装置に対して端末装置から時系列的に撮影を指示し、撮影された画像は映像製作装置に送られて一まとまりのコンテンツとして編集される。
【特許文献１】特開２００３−８７６１５号公報（第２乃至４ページ、図４）
【特許文献２】特開２００4−３２０４４１号公報（第２、１２、１３ページ、図５）
【発明の開示】
【発明が解決しようとする課題】
【０００６】
上述の特許文献１においては、複数のデジタルカメラがそれぞれ撮影した画像のデータを撮影日時データと共に代表カメラに送信し、代表カメラは撮影日時の順に画像データを再生して一まとまりのコンテンツ作成を可能にする従来技術が開示されている（明細書の段落「００２５」乃至「００４２」）。その応用として、運動会の１つのレースを時々刻々複数のアングルから撮影して一まとまりのコンテンツを作成する例が挙げられているところから、明示の記載はないが静止画を時系列順に配列した一まとまりのコンテンツを撮影後に編集するものと理解される。
【０００７】
上述の特許文献２においては、テーマパーク施設に配置された複数の撮影装置がユーザー端末からの指示により撮影した動画又は静止画のデータを映像制作装置に送り、映像コンテンツ（パッケージ映像）への編集を可能にする従来技術が開示されている（明細書の段落「００３５」乃至「００４２」）。この従来技術は動画も対象としているが、撮影データはいったん映像制作装置のデータベースに格納され、撮影の終了後に一まとまりのコンテンツとして編集される。
【０００８】
これら撮影終了後の編集を前提とする従来技術においては、通信端末装置にコンテンツ編集機能を持たせようとすると特許文献１のように静止画を対象とするだけにとどまり、動画を対象に含めようとすると特許文献２のように動画コンテンツ編集用の装置を別に必要とする問題があった。
【０００９】
本発明は上記問題を解決するためになされたもので、動画コンテンツ編集用の装置を必要とせずに、複数のカメラで撮影された動画から一まとまりの動画コンテンツを作成することのできる通信端末装置を提供することを目的とする。
【課題を解決するための手段】
【００１０】
上記目的を達成するために、本発明の通信端末装置は、動画を撮影するカメラを備えた通信端末装置であって、該通信端末装置の外部から送信される動画を受信する受信手段と、表示手段と、動画のデータを記憶する記憶手段と、前記カメラにより撮影された動画と、前記受信手段により受信された動画とのうち、いずれの動画を前記記憶手段に記憶するかを選択する選択手段と、前記選択手段による選択に基づいて、前記カメラにより撮影された動画、又は前記受信手段によって受信された動画を前記記憶手段に記憶する制御を行う制御部とを備えたことを特徴とする。
【発明の効果】
【００１１】
本発明によれば、外部から送信される動画と通信端末装置の備えるカメラが撮影する動画を実時間的に選択して編集しメモリに格納することにより、動画コンテンツ編集用の装置を必要とせずに複数のアングルから撮影された一まとまりの動画コンテンツを作成することができる。
【発明を実施するための最良の形態】
【００１２】
以下、図面を参照して本発明の実施例を説明する。
【実施例１】
【００１３】
以下、図１乃至図８を参照して、本発明の実施例１を説明する。図１は、本発明の実施例１に係る通信端末装置１の利用形態を表す概念図である。通信端末装置１は、移動通信網２に接続して用いられる無線装置であり、動画を撮影することのできる図示しないカメラを備えている。なおこの場合の接続とは、移動通信網２に含まれる図示しない基地局に係属して当該基地局との間で電波の送受信を行える状態にあることをいう。
【００１４】
移動通信網２には、動画を撮影することのできるカメラ付き携帯電話３も接続されている。通信端末装置１が備えたカメラにより、例えば被写体４の全体を正面から撮影する。カメラ付き携帯電話３が備えたカメラにより、例えば被写体４の一部を拡大して通信端末装置１のカメラとは異なるアングルから撮影する。
【００１５】
カメラ付き携帯電話３は、このようにして被写体４を撮影して生成した動画データを、移動通信網２を介して通信端末装置１にストリーミング送信することができるものとする。なお、通信端末装置１とカメラ付き携帯電話３は必ずしも同一の被写体を撮影するものとは限らず、被写体やその撮影アングルをそれぞれ任意に選ぶことができる。
【００１６】
一般にストリーミング送信（又は、単にストリーミング）とは、送信側装置において生成され又はファイルとして格納されたサウンドデータや動画データを通信網経由で受信側装置に対して送信し、受信側装置は当該データを受信しながら順次再生することを指す。送信側装置がカメラを備える場合は、撮影中の動画をリアルタイムでストリーミング送信することもできる。受信側装置は、ファイルサイズが大きい動画データであっても受信し終わるまでの時間を待たずに再生することができ、送信側装置が撮影中の動画をリアルタイムで再生することもできる。
【００１７】
図２は、本発明の実施例１に係る通信端末装置１のブロック図である。通信端末装置１はアンテナ１１及び無線通信部１２を備え、図１に表した移動通信網２の図示しない基地局との間で電波の送受信を行う。無線通信部１２は、少なくとも上記の基地局との間で送受信される電波により搬送される信号の変復調、アナログ値とデジタル値の変換、周波数変換及び増幅を行う。
【００１８】
通信端末装置１は、動画を撮影することのできるカメラ１３を備える。カメラ１３は、撮影した動画データの出力と監視制御のための信号の入出力に必要なインターフェース部を含むものとする。
【００１９】
通信端末装置１は、カメラ１３で撮影された動画又はそれ以外の画像若しくは文字等により表された情報を表示することのできる表示部１４と、表示部１４に表示する画像又は情報を選択すると共に表示部１４を駆動して選択した画像を表示させる表示選択部１５を備える。
【００２０】
通信端末装置１は、動画ファイルを含むデータを格納することのできるメモリ１６を備える。通信端末装置１は、メモリ１６に書き込むデータの選択を含むメモリ１６の読み書きの制御を行う記憶選択部１７を備える。
【００２１】
通信端末装置１は、操作キー等からなる操作部１８を備える。表示選択部１５は、操作部１８における操作に従って表示部１４に表示する画像又は情報を選択する。操作部１８における操作により、通信端末装置１のその他の操作（例えば発信、着信に対する応答又は電子メールの入力等）も行うことができる。
【００２２】
通信端末装置１は、例えばマイクロプロセッサ等の処理デバイスからなる制御部１９を備える。制御部１９は、上述した通信端末装置１の各構成に接続され、各構成の監視制御及び各構成間のインターフェース制御を行う。上述した表示選択部１５は、制御部１９に含まれるものとしてもよい。上述した記憶選択部１７は、制御部１９に含まれるものとしてもよい。図２に示さない通信端末装置１のその他の構成（例えば送話器、受話器、電源部等）については、説明を省略する。
【００２３】
図３乃至図７(図５を除く。)を参照して、通信端末装置１の動作について説明する。図３乃至図７(図５を除く。)は通信端末装置１の動画処理に係る機能ブロック図であり、通信端末装置１の各構成を太い破線又は一点鎖線で表した動画を含む信号又はデータの流れに沿って配置して表す図である。図３乃至図６に表した各構成は図２に同じ符号を付して表したものであるから、個別の説明は省略する。なお、制御部１９は、動画処理に関しても図３乃至図７(図５を除く。)に表した各構成の監視制御及び各構成間のインターフェース制御を行う。
【００２４】
図３は、カメラ１３を起動したとき（カメラ付き携帯電話３からの動画データの受信はなく、カメラ１３によって撮像したデータは録画されていない状態のとき）のデータの流れの概略を示したものである。カメラ１３が撮影する動画（以下、撮影動画という。）のデータは、表示選択部１５に送られる。図３においては、カメラ１３と別個にカメラ付き携帯電話３が撮影する動画のデータのストリーミング受信は行われておらず、カメラ１３が撮影中の動画が表示選択部１５において操作部１８からの操作に基づき選択され、表示部１４に表示される。なお、記憶選択部１７においても操作部１８による操作に基づいてメモリ１６に格納する動画データを選択することができるが、図３はそのような選択とメモリ１６への動画データ格納を行っていない状態を表している。カメラ１３から表示部１４へ送られる動画データの流れを、図３に太い破線で表している。
【００２５】
図４は、カメラ１３を起動し、かつカメラ付き携帯電話３からの動画データのストリーミング受信があるとき（カメラ１３によって撮像したデータは録画されていない状態のとき）のデータの流れの概略を示したものである。カメラ付き携帯電話３とカメラ１３はそれぞれ動画を撮影し、カメラ付き携帯電話３は撮影する動画のデータを移動通信網２経由で通信端末装置１に対してストリーミング送信する。無線通信部１２は、アンテナ１１を経て当該動画データを受信し復調する。無線通信部１２が受信する動画（以下、受信動画という。）のデータは、表示選択部１５に送られる。表示選択部１５は、操作部１８による操作に基づき、上記の撮影動画と受信動画の表示部１４における表示の態様を選択する。この選択により、例えば表示部１４の表示画面を分けて撮影動画と受信動画を同時に表示したり、２の動画を切り換えてそれぞれ表示したりすることができる。なお、記憶選択部１７においても操作部１８による操作に基づいてメモリ１６に格納する動画データを選択することができるが、図４はそのような選択とメモリ１６への動画データ格納を行っていない状態を表している。
【００２６】
アンテナ１１から表示部１４に至る受信動画のデータの流れを、図４に太い一点鎖線で表している。カメラ１３から表示部１４に至る撮影動画のデータの流れを、図４に太い破線で表している。図４においては、受信動画及び撮影動画のデータは共に表示部１４に送られ、２の動画が例えば画面の領域を分割して同時に表示される。
【００２７】
撮影動画及び受信動画の表示部１４における表示について、図５を参照して説明する。図５（ａ）は、図３に示したように撮影動画のデータが表示部１４に送られ、メモリ１６への格納がされていない状態での表示部１４における表示の一例を表す図である。表示部１４の画面に、撮影動画の画像３１が表示されている。その右に受信動画の画像用のエリアが設けられているが、図３に対応する場合には受信動画のデータが表示部１４に送られていないので空白になっている。
【００２８】
図５（ｂ）は、図４に示したように撮影動画及び受信動画のデータがそれぞれ表示部１４に送られ、メモリ１６への格納がされていない状態での表示部１４における表示の一例を表す図である。表示部１４の画面に、撮影動画の画像３１及び受信動画の画像３２が同時に表示されている。
【００２９】
図５（ｃ）及び（ｄ）は、後述する図６に示すように撮影動画及び受信動画のデータがそれぞれ表示部１４に送られ、このうち撮影動画のデータがメモリ１６に格納されている状態での表示部１４における表示の一例を表す図である。表示部１４の画面に撮影動画の画像３１及び受信動画の画像３２が表示されているが、撮影動画を記録中であることを表すため、図５（ｃ）においては撮影動画の画像３１を受信動画の画像３２よりも大きいサイズで表示している。図５（ｄ）においては例えば画像３１の枠の線の太さ、線種又は色を画像３２の枠と区別して表示することにより撮影動画を記録中であることを表している。
【００３０】
図５（ｅ）及び（ｆ）は、後述する図７に示すように撮影動画及び受信動画のデータがそれぞれ表示部１４に送られ、このうち受信動画のデータがメモリ１６に格納されている状態での表示部１４における表示の一例を表す図である。表示部１４の画面に、撮影動画の画像３１及び受信動画の画像３２が表示されているが、受信動画を記録中であることを表すため、図５（ｅ）においては受信動画の画像３２を撮影動画の画像３１よりも大きいサイズで表示している。図５（ｆ）においては例えば画像３２の枠の線の太さ、線種又は色を画像３１の枠と区別して表示することにより受信動画を記録中であることを表している。
【００３１】
図６は、カメラ１３を起動し、かつカメラ付き携帯電話３からの動画データの受信があるとき（カメラ１３によって撮像したデータは録画されている状態のとき）のデータの流れの概略を示したものである。表示部１４に至る受信動画及び撮影動画のデータの流れは図４と同じであり、受信動画及び撮影動画が同時に表示部１４に表示される。記憶選択部１７は、操作部１８による操作に基づいて、上記の撮影動画のデータと受信動画のデータからメモリ１６に格納される動画データを選択する。したがって、撮影動画のデータと受信動画のデータを同時に又は切り換えて画像をモニターしながら、いずれかを選んでメモリ１６に格納することができる。図６においては、太い破線で表した撮影動画のデータが記憶選択部１７からメモリ１６に送られて格納される。なお表示部１４においては、図５（ｃ）又は（ｄ）に表したようにメモリ１６に格納中の撮影動画を受信動画と区別して表示するようにしてもよい。
【００３２】
図７は、カメラ１３を起動し、かつカメラ付き携帯電話３からの動画データの受信があるとき（カメラ付き携帯電話３から受信したデータは録画されている状態のとき）のデータの流れの概略を示したものである。表示部１４に至る受信動画及び撮影動画のデータの流れは図４と同じであり、２の動画が同時に表示部１４に表示される。記憶選択部１７は、操作部１８による操作に基づいて、太い一点鎖線で表した受信動画のデータを選択しメモリ１６に送る。従ってこの場合には、受信動画のデータがメモリ１６に格納される。なお表示部１４においては、図５（ｅ）又は（ｆ）に表したようにメモリ１６に格納中の受信動画を撮影動画と区別して表示するようにしてもよい。
【００３３】
上記の動画データを選択しメモリ１６に格納する応用の一例について、図８を参照して説明する。図８は、実施例1における動画データの選択と格納の一例を表すタイミング図である。図８の横軸は時間軸、「撮影動画」は上記の撮影動画、「受信動画」は上記の受信動画、「格納される動画データ」はメモリ１６に格納される動画データが撮影動画又は受信動画のいずれであるかを、それぞれ表す。
【００３４】
図８においては、まず時間軸上の「撮影開始」の時点において操作部１８の操作により通信端末装置１のカメラ１３による撮影を開始すると共に、撮影動画の表示部１４への表示を開始する。このとき動画データの流れは、図３に表した通りである。表示部１４には、例えば図５（ａ）に表したように撮影動画の画像が表示される。
【００３５】
「通信接続」の時点において操作部１８の操作により通信端末装置１とカメラ付き携帯電話機３の間の通信接続がされると、受信動画のデータが表示選択部１５及び記憶選択部１７に到達する。このとき動画データの流れは、図４に表した通りである。表示部１４には、撮影動画又は受信動画の画像が例えば図５（ｂ）に表したように同時に表示される。
【００３６】
「格納開始」の時点において操作部１８の操作により、撮影動画のデータのメモリ１６への格納を開始する。このとき動画データの流れは、図６に表した通りである。表示部１４には、撮影動画又は受信動画の画像が例えば図５（ｃ）又は（ｄ）に表したように同時に表示され、表示の態様の差により撮影動画を記録中であることを示している。
【００３７】
「画像切換」の時点において操作部１８の操作により、それまでの撮影動画のデータに代えて受信動画のデータのメモリ１６への格納を開始する。このとき動画データの流れは、図7に表した通りである。表示部１４には、撮影動画又は受信動画の画像が例えば図5（ｅ）又は（ｆ）に表したように同時に表示され、表示の態様の差により受信動画を記録中であることを示している。
【００３８】
「通信開放」の時点において操作部１８の操作により通信端末装置１とカメラ付き携帯電話機３の間の通信接続が開放されると、受信動画のデータが得られなくなるので、再び撮影動画のデータのメモリ１６への格納を開始する。このときの動画データの流れは、図６から太い一点鎖線を消去して表すことができる。表示部１４における表示は、図５（ｃ）又は（ｄ）において受信動画の画像３２を空白に置き換えることにより表すことができる。
【００３９】
「格納終了」の時点において操作部１８の操作により、撮影動画のデータのメモリ１６への格納を終了する。このときの動画データの流れは図３に表したようになり、表示部１４における表示は図５（ａ）に表したようになる。「撮影終了」の時点において操作部１８の操作により、通信端末装置１のカメラ１３による撮影を終了する。
【００４０】
そうすると、「格納開始」から「格納終了」までの間に動画データを２度切り換えて得た一まとまりの動画コンテンツがメモリ１６に格納される。例えば図１に表した構成において、初めに被写体４の全体（例えば人物の全身）、次に被写体４の一部の拡大（例えば表情のアップ）、最後に再び被写体４の全体が一連の流れとして表示される動画コンテンツをこのようにして作成することができる。
【００４１】
以上の説明において、アンテナ１１及び無線通信部１２は移動通信網２の基地局との間で電波の送受信を行うものとした。アンテナ１１及び無線通信部１２はこれに限らず、例えばブルートゥース又は無線ＬＡＮのような無線通信システムに対応するものであってもよい（ただしブルートゥースの場合には、図１において通信端末装置１はカメラ付き携帯電話３との間に移動通信網２を介することなく、直接対向して通信する。）。それらの場合には、図１においてカメラ付き携帯電話機3に相当する構成が複数設けられてもよい。また、表示選択部１５において３以上の動画を同時に又は選択的に表示部１４に表示し、記憶選択部１７において３以上の動画データの中から１を選択してメモリ１６に格納することもできる。
【００４２】
以上の説明において、通信端末装置１は無線装置であるものとした。通信端末装置１はこれに限らず、有線通信システムに対応するものであってもよい。その場合通信端末装置１は、アンテナ１１及び無線通信部１２に代えて当該有線通信システムに接続するためのインターフェースを備える。また上述したように、３以上の動画を同時に又は選択的に表示部１４に表示し又はメモリ１６に格納することもできる。
【００４３】
本発明の実施例１によれば、通信端末装置が受信動画又は撮影動画を選択してメモリに格納することにより、複数のカメラにより撮影された動画から一まとまりのコンテンツを簡便に作成することができる。
【実施例２】
【００４４】
以下、図９乃至図１５を参照して、本発明の実施例２を説明する。図９は、本発明の実施例２に係る通信端末装置５の利用形態を表す概念図である。図９は、図１における通信端末装置１を通信端末装置５に置き換えた図である。図９においてカメラ付き携帯電話機３は、周波数帯域を有効に利用するため撮影した動画のデータを符号化して送信するものとする。その他の点については、図１と同じであるから説明を省略する。
【００４５】
図１０は、本発明の実施例２に係る通信端末装置５のブロック図である。通信端末装置５は、実施例１で説明した通信端末装置１に復号化部５１及び符号化部５２を付加して構成される。その他の構成はすべて実施例１において図２を参照して説明したものと同じであるから、同一の符号を付して表しそれらについての説明は省略する。
【００４６】
図９に表されたカメラ付き携帯電話３は、撮影する動画のデータを符号化して、移動通信網２経由で通信端末装置５に対してストリーミング送信する。無線通信部１２は、アンテナ１１を経て当該動画データを受信し復調する。復号化部５１は、復調された動画データを復号化する。
【００４７】
記憶選択部１７において選択されメモリ１６に格納される動画データは、メモリ１６の利用効率を高めることを目的として符号化される。符号化部５２は、当該符号化を実行する。復号化部５１と符号化部５２がそれぞれ対応する符号化の方式は、同じであっても異なっていてもよい。
【００４８】
図１１乃至図１４を参照して、通信端末装置５の動作について説明する。図１１乃至図１４は通信端末装置５の動画処理に係る機能ブロック図であり、通信端末装置５の各構成を太い破線又は一点鎖線で表した動画を含む信号又はデータの流れに沿って配置して表す図である。図１１乃至図１４に表した各構成は図１０に同じ符号を付して表したものであるから、個別の説明は省略する。なお、制御部１９は、動画処理に関しても図１１乃至図１４に表した各構成の監視制御及び各構成間のインターフェース制御を行う。
【００４９】
図１１は、カメラ１３を起動したとき（カメラ付き携帯電話３からの動画データの受信はなく、カメラ１３によって撮像したデータは録画されていない状態のとき）のデータの流れの概略を示したものである。カメラ１３が撮影する動画（以下、撮影動画という。）のデータは、表示選択部１５に送られる。図１１においては、カメラ付き携帯電話３がカメラ１３と別個に撮影する動画のデータのストリーミング送信は行われておらず、カメラ１３が撮影中の動画が表示選択部１５において操作部１８からの操作に基づき選択され、例えば図５（ａ）に表したように表示部１４に表示される。なお、記憶選択部１７においても操作部１８による操作に基づいてメモリ１６に格納する動画データを選択することができるが、図１１はそのような選択とメモリ１６への動画データ格納を行っていない状態を表している。カメラ１３から表示部１４へ送られる動画データの流れを、図１１に太い破線で表している。
【００５０】
図１２は、カメラ１３を起動し、かつカメラ付き携帯電話３からの動画データの受信があるとき（カメラ１３によって撮像したデータは録画されていない状態のとき）のデータの流れの概略を示したものである。カメラ付き携帯電話３とカメラ１３はそれぞれ動画を撮影し、カメラ付き携帯電話３は撮影する動画のデータを符号化して移動通信網２経由で通信端末装置１に対してストリーミング送信する。無線通信部１２は、アンテナ１１を経て当該動画データを受信し復調する。無線通信部１２が受信する動画（以下、受信動画という。）のデータは、復号化部５１において復号化される（復号化された動画を、以下、復号動画という。）。復号動画のデータは、復号化部５１から表示選択部１５に送られる。
【００５１】
表示選択部１５は、操作部１８による操作に基づき、上記の撮影動画のデータと復号動画のデータの表示部１４における表示の態様を選択する。この選択により、例えば表示部１４の表示画面を分けて撮影動画と復号動画を同時に表示したり、２の動画を切り換えてそれぞれ表示したりすることができる。なお、記憶選択部１７においても操作部１８による操作に基づいてメモリ１６に格納する動画データを選択することができるが、図１２はそのような選択とメモリ１６への動画データ格納を行っていない状態を表している。
【００５２】
アンテナ１１から表示部１４に至る受信動画及び復号動画のデータの流れを、図１２に太い一点鎖線で表している。カメラ１３から表示部１４に至る撮影動画のデータの流れを、図１２に太い破線で表している。図１２においては、復号動画及び撮影動画のデータは共に表示部１４に送られ、２の動画が例えば図５（ｂ）に表したように画面の領域を分割して同時に表示される。
【００５３】
図１３は、カメラ１３を起動し、かつカメラ付き携帯電話３からの動画データの受信があるとき（カメラ１３によって撮像したデータは録画されている状態のとき）のデータの流れの概略を示したものである。表示部１４に至る受信動画、復号動画及び撮影動画のデータの流れは図１２と同じであり、復号動画及び撮影動画が同時に表示部１４に表示される。記憶選択部１７は、操作部１８による操作に基づいて、上記の撮影動画のデータと復号動画のデータからメモリ１６に格納される動画データを選択する。したがって、撮影動画のデータと復号動画のデータを同時に又は切り換えて画像をモニターしながら、いずれかを選んでメモリ１６に格納することができる。符号化部５２は、記憶選択部１７が選択した動画データを、メモリ１６の利用効率を上げて格納するために符号化する。図１３においては、太い破線で表した撮影動画のデータが記憶選択部１７から符号化部５２に送られて符号化され、さらにメモリ１６に送られて格納される。なお表示部１４においては、図５（ｃ）又は（ｄ）に表したようにメモリ１６に格納中の撮影動画を復号動画と区別して表示するようにしてもよい。
【００５４】
図１４は、カメラ１３を起動し、かつカメラ付き携帯電話３からの動画データの受信があるとき（カメラ付き携帯電話３から受信したデータは録画されている状態のとき）のデータの流れの概略を示したものである。表示部１４に至る受信動画、復号動画及び撮影動画のデータの流れは図１２と同じであり、２の動画が同時に表示部１４に表示される。記憶選択部１７は、操作部１８による操作に基づいて、太い一点鎖線で表した復号動画のデータを選択し符号化部５２に送る。従ってこの場合には、復号動画のデータが符号化されてメモリ１６に格納される。なお表示部１４においては、図５（ｅ）又は（ｆ）に表したようにメモリ１６に格納中の復号動画を撮影動画と区別して表示するようにしてもよい。
【００５５】
撮影動画及び復号動画の表示部１４における表示については、実施例１において図５を参照して説明したのと同様である（ただし図５の説明において、「受信動画の画像３２」を「復号動画の画像３２」と読み替える。）。すなわち、図１１、図１２、図１３及び図１４に表した動画データの流れに対応して、例えばそれぞれ図５（ａ）、図５（ｂ）、図５（ｃ）又は（ｄ）、及び図５（ｅ）又は（ｆ）に表したように撮影動画又は復号動画の画像が表示される。
【００５６】
上記の動画データを選択し格納する応用の一例について、図１５を参照して説明する。図１５は、実施例２における動画データの選択と格納の一例を表すタイミング図である。図１５の横軸は時間軸、「撮影動画」は上記の撮影動画、「復号動画」は上記の復号動画、「符号化される動画データ」は符号化部５２により符号化される動画データが撮影動画又は復号動画のいずれであるか、「格納される動画データ」は符号化の後にメモリ１６に格納される動画データが撮影動画又は復号動画のいずれであるかを、それぞれ表す。
【００５７】
図１５においては、まず時間軸上の「撮影開始」の時点において操作部１８の操作により通信端末装置５のカメラ１３によるによる撮影を開始すると共に、撮影動画の表示部１４への表示を開始する。このとき動画データの流れは、図１１に表した通りである。表示部１４には、例えば図５（ａ）に表したように撮影動画の画像が表示される。
【００５８】
「通信接続」の時点において操作部１８の操作により通信端末装置５とカメラ付き携帯電話機３の間の通信接続がされると、復号動画のデータが表示選択部１５及び記憶選択部１７に到達する。このとき動画データの流れは、図１２に表した通りである。表示部１４には、撮影動画又は復号動画の画像が例えば図５（ｂ）に表したように同時に表示される。
【００５９】
「格納開始」の時点において操作部１８の操作により、撮影動画のデータのメモリ１６への格納を開始する。このとき動画データの流れは、図１３に表した通りである。表示部１４には、撮影動画又は復号動画の画像が例えば図５（ｃ）又は（ｄ）に表したように同時に表示され、表示の態様の差により撮影動画を記録中であることを示している。
【００６０】
「画像切換」の時点において操作部１８の操作により、それまでの撮影動画のデータに代えて復号動画のデータの符号化部５２による符号化及びメモリ１６への格納を開始する。このとき動画データの流れは、図１４に表した通りである。表示部１４には、撮影動画又は復号動画の画像が例えば図５（ｅ）又は（ｆ）に表したように同時に表示され、表示の態様の差により復号動画を記録中であることを示している。
【００６１】
「通信開放」の時点において操作部１８の操作により通信端末装置５とカメラ付き携帯電話機３の間の通信接続が開放されると、復号動画のデータが得られなくなるので、再び撮影動画のデータの符号化部５２による符号化及びメモリ１６への格納を開始する。このときの動画データの流れは、図１３から太い一点鎖線を消去して表すことができる。表示部１４における表示は、図５（ｃ）又は（ｄ）において復号動画の画像３２を空白に置き換えることにより表すことができる。
【００６２】
「格納終了」の時点において操作部１８の操作により、撮影動画のデータの符号化及びメモリ１６への格納を終了する。このときの動画データの流れは図１１に表したようになり、表示部１４における表示は図５（ａ）に表したようになる。
【００６３】
「撮影終了」の時点において操作部１８の操作により、通信端末装置５による撮影を終了する。以上の一連の処理によって、「格納開始」から「格納終了」までの間に動画データを２度切り換えて得た一まとまりの動画コンテンツが符号化されてメモリ１６に格納される。
【００６４】
なお、図１０乃至図１４に表した通信端末装置５の構成において、受信動画のデータが符号化されたものでなければ復号化部５１を省くことができる。また、メモリ１６への動画データの格納において符号化をしない場合には、符号化部５２を省くことができる。
【００６５】
実施例１において説明したのと同様に、アンテナ１１及び無線通信部１２は例えばブルートゥース又は無線ＬＡＮのような無線通信システムに対応するものであってもよく、図９においてカメラ付き携帯電話機3に相当する構成が複数設けられてもよい。また、表示選択部１５において３以上の動画を同時に又は選択的に表示部１４に表示し、記憶選択部１７において３以上の動画データの中から１を選択してメモリ１６に格納することもできる。通信端末装置５は無線装置に限らず、有線通信システムに対応するものであってもよい。
【００６６】
本発明の実施例２によれば、通信端末装置が受信動画データの復号化又はメモリに格納する動画データの符号化を行うことにより、周波数又はメモリの利用効率の向上に寄与するという付加的な効果が得られる。
【図面の簡単な説明】
【００６７】
【図１】本発明の実施例１に係る通信端末装置の利用形態を表す概念図。
【図２】実施例１に係る通信端末装置のブロック図。
【図３】実施例１に係る通信端末装置の動画データの流れを表す第１の図。
【図４】実施例１に係る通信端末装置の動画データの流れを表す第２の図。
【図５】実施例１に係る通信端末装置の動画の表示例を表す図。
【図６】実施例１に係る通信端末装置の動画データの流れを表す第３の図。
【図７】実施例１に係る通信端末装置の動画データの流れを表す第４の図。
【図８】実施例1における動画データの選択と格納の一例を表すタイミング図。
【図９】本発明の実施例２に係る通信端末装置の利用形態を表す概念図。
【図１０】実施例２に係る通信端末装置のブロック図。
【図１１】実施例２に係る通信端末装置の動画データの流れを表す第１の図。
【図１２】実施例１に係る通信端末装置の動画データの流れを表す第２の図。
【図１３】実施例１に係る通信端末装置の動画データの流れを表す第３の図。
【図１４】実施例１に係る通信端末装置の動画データの流れを表す第４の図。
【図１５】実施例２における動画データの選択と格納の一例を表すタイミング図。
【符号の説明】
【００６８】
１、５  通信端末装置
２  移動通信網
３  カメラ付き携帯電話機
４  被写体
１１  アンテナ
１２  無線通信部
１３  カメラ
１４  表示部
１５  表示選択部
１６  メモリ
１７  記憶選択部
１８  操作部
１９  制御部
５１  復号化部
５２  符号化部
【図１】
2007201862.tif 000003
【図２】
2007201862.tif 000004
【図３】
2007201862.tif 000005
【図４】
2007201862.tif 000006
【図５】
2007201862.tif 000007
【図６】
2007201862.tif 000008
【図７】
2007201862.tif 000009
【図８】
2007201862.tif 000010
【図９】
2007201862.tif 000011
【図１０】
2007201862.tif 000012
【図１１】
2007201862.tif 000013
【図１２】
2007201862.tif 000014
【図１３】
2007201862.tif 000015
【図１４】
2007201862.tif 000016
【図１５】
2007201862.tif 000017